(57)【要約】【課題】人の関節角度等の測定を行い易く、使い勝手の良い角度計を提供する。【解決手段】角度計１は、角度目盛１１が設けられる角度読取部１０と、角度読取部１０に長さ可変に取り付けられる紐状部材１４と、を備える。角度計１では、紐状部材１４と角度目盛１１との関係から測定角度を読み取ることができる。【選択図】図２
2016211910.tif 000002
【特許請求の範囲】
【請求項１】
角度目盛が設けられる角度読取部と、
前記角度読取部に長さ可変に取り付けられる紐状部材と、
を備え、
前記紐状部材と前記角度目盛との関係から測定角度を読み取ることを特徴とする角度計。
【請求項２】
前記紐状部材を引き出し可能に巻き取り収納するリール装置を更に備えることを特徴とする請求項１に記載の角度計。
【請求項３】
前記リール装置は、前記角度読取部に取り付けられていることを特徴とする請求項２に記載の角度計。
【請求項４】
前記リール装置は、前記角度読取部に固定されていることを特徴とする請求項３に記載の角度計。
【請求項５】
前記リール装置は、前記角度読取部に回動可能に取り付けられていることを特徴とする請求項３に記載の角度計。
【請求項６】
前記紐状部材は、伸縮部材で構成されていることを特徴とする請求項１に記載の角度計。
【請求項７】
前記紐状部材の先端には、被測定対象の一部に取り付ける取付部が設けられていることを特徴とする請求項１から６のいずれか１項に記載の角度計。
【請求項８】
前記角度読取部には、角度測定の際に用いられる基準線が設けられていることを特徴とする請求項１から７のいずれか１項に記載の角度計。
【発明の詳細な説明】
【技術分野】
【０００１】
本発明は、例えば人の関節可動域の計測等に用いられる角度計に関する。
【背景技術】
【０００２】
従来、例えば、リハビリテーションが行われる施設や、整形外科等の病院において、人の関節角度を定量的に測定する等の目的で、角度計（ゴニオメーター）が使用されている。従来の角度計は、例えば特許文献１等に開示されるように、軸部を中心として相対回転可能に設けられた２つのアーム部を備える。２つのアーム部のうちの一方には、角度目盛が設けられており、当該角度目盛を利用して２つのアーム部間の角度が読み取れるようになっている。各アーム部を身体の測定部にあてがったときの２つのアーム部のなす角を読み取ることによって、関節角度等を定量的に測定できる。
【０００３】
図９は、肘関節に関する角度測定を行う場合における従来の角度計１００の使用例を示す模式図である。まず、図９に示すように、被測定者Ｍを腰掛け座位とすると共に、被測定者の前腕Ａ２を回外位とし、角度計１００の軸部Ｏを肘関節の軸と略一致させる。次に、角度目盛を有する第１のアーム部１０１に設けられる基準線１０１ａを肘関節の基本軸である上腕骨（図９の符号Ａ１は上腕を指す）に合せ、第２のアーム部１０２に設けられる計測線１０２ａを肘関節の移動軸である橈骨に合せる（図９に示す状態が該当）。この状態から被測定者Ｍに前腕Ａ２を屈曲側に可能な範囲で曲げてもらい、前腕Ａ２の移動に応じて第２のアーム部１０２を動かす。第２のアーム部１０２の計測線１０２ａと第１のアーム部１０１の角度目盛との関係から肘関節の可動範囲を測定することができる。
【先行技術文献】
【特許文献】
【０００４】
【特許文献１】特開２０１３−７６６８６号公報
【発明の概要】
【発明が解決しようとする課題】
【０００５】
従来の角度計における２つのアーム部は、プラスチックや金属等の硬い素材で形成される。このために、従来の角度計は、関節角度の測定時等において、体に沿わせ難く、測定作業が行い難いことがあった。また、腕や肩等の大きな関節の角度測定を正確に行うためには、２つのアーム部の長さをある程度大きくする必要があるが、この場合、ポケットに入れて持ち運び難くなることがあった。更に、介護の現場等では、関節角度等の測定を素早く簡単に行える角度計が望まれていた。
【０００６】
以上の点に鑑みて、本発明の目的は、人の関節角度等の測定を行い易く、使い勝手の良い角度計を提供することである。
【課題を解決するための手段】
【０００７】
上記目的を達成するために本発明の角度計は、角度目盛が設けられる角度読取部と、前記角度読取部に長さ可変に取り付けられる紐状部材と、を備え、前記紐状部材と前記角度目盛との関係から測定角度を読み取る構成（第１の構成）になっている。なお、紐状部材は、人の体に沿う柔軟性を有する線状部材を広く含み、その代表例として、例えば糸、紐、ワイヤー、ゴム紐等が挙げられる。
【０００８】
本構成によれば、柔軟性を有する紐状部材を人の体に沿わせて角度測定を行えるために、角度測定作業が行い易くなることが期待できる。また、紐状部材は、長さ可変に角度読取部に取り付けられており、角度測定を行わない場合には短くしておくことが可能である。このために、本構成によれば、角度計をコンパクトにして持ち運びやすい。
【０００９】
上記第１の構成の角度計は、前記紐状部材を引き出し可能に巻き取り収納するリール装置を更に備える構成（第２の構成）であってよい。本構成によれば、角度測定を行わない場合に、紐状部材を収納した状態を得やすい。また、一方で、角度測定を行う場合に、簡単に紐状部材を引き出して角度測定を行える。
【００１０】
上記第２の構成の角度計において、前記リール装置は、前記角度読取部に取り付けられている構成（第３の構成）であってよい。本構成によれば、リール装置が角度読取部と一体になっているので、持ち運びの際に便利である。
【００１１】
上記第３の構成の角度計において、前記リール装置は、前記角度読取部に固定されている構成（第４の構成）であってよい。本構成によれば、リール装置の取付構造を簡単なものにし易い。
【００１２】
上記第３の構成の角度計において、前記リール装置は、前記角度読取部に回動可能に取り付けられている構成（第５の構成）であってよい。本構成によれば、角度計のサイズを小さくし易い。また、本構成によれば、角度計で測定できる角度範囲を広くし易い。
【００１３】
上記第１の構成の角度計において、前記紐状部材が伸縮部材で構成されているようにしてもよい（第６の構成）。本構成によれば、角度計の構造を簡単なものにし易く、製造コストも抑制できる。
【００１４】
上記第１から第６のいずれかの構成の角度計において、前記紐状部材の先端には、被測定対象の一部に取り付ける取付部が設けられている構成（第７の構成）が好ましい。本構成によれば、角度測定を行う際に、角度の測定を行う者（セラピスト等）が角度計を保持し易くなり、角度測定作業が楽になる等の利点がある。
【００１５】
上記第１から第７のいずれかの構成の角度計において、前記角度読取部には、角度測定の際に用いられる基準線が設けられている構成（第８の構成）が好ましい。本構成によれば、角度測定作業が行い易くなることが期待できる。
【発明の効果】
【００１６】
本発明によれば、人の関節角度等の測定を行い易く、使い勝手の良い角度計を提供できる。
【図面の簡単な説明】
【００１７】
【図１】本発明の第１実施形態に係る角度計の構成を示す概略平面図
【図２】本発明の第１実施形態に係る角度計が備えるリール装置の作用を説明するための概略平面図
【図３】本発明の第１実施形態に係る角度計を用いて肘関節に関する角度測定を行う場合の角度計の使用例を示す模式図
【図４】本発明の第１実施形態に係る角度計を用いて肩関節の可動域の測定を行う手順を示す模式図
【図５】本発明の第２実施形態に係る角度計を上から見た場合の概略平面図
【図６】本発明の第２実施形態に係る角度計の変形例を示す概略平面図
【図７】本発明の第３実施形態に係る角度計を上から見た場合の概略平面図
【図８】本発明の第１実施形態の角度計の変形例を説明するための概略平面図
【図９】肘関節に関する角度測定を行う場合における従来の角度計の使用例を示す模式図
【発明を実施するための形態】
【００１８】
以下、本発明の実施形態に係る角度計について、図面を参照しながら詳細に説明する。
＜第１実施形態＞
【００１９】
図１は、本発明の第１実施形態に係る角度計１の構成を示す概略平面図である。図１（ａ）は、角度計１を上から見た上面図である。図１（ｂ）は、角度計１を図１（ａ）の破線矢印Ａ方向に沿って見た側面図である。
【００２０】
図１に示すように、角度計１は、板状のプレート部１０を備えている。プレート部１０は、上面視半円状の部分１０ａ（以下単に半円部１０ａという）と、上面視矩形状の部分１０ｂ（以下単に矩形部１０ｂという）とが合体した形状となっている。プレート部１０の半円部１０ａには、円弧状の外縁に沿うように角度目盛１１が付されている。角度目盛１１は、特に限定される趣旨ではないが、例えば、印刷、刻印、シール貼り等によって得ることができる。プレート部１０は、本発明の角度読取部の一例である。
【００２１】
なお、本実施形態では、角度目盛１１は、０°から１８０°の範囲で、１０°おきに設けられている。ただし、これは一例にすぎず、角度目盛の間隔は適宜変更されてよい。また、角度が測定できる範囲も、可能な範囲で適宜変更されてよい。更に、測定角度を示す数字が、角度目盛の適所に付されるようにしても構わない。
【００２２】
また、プレート部１０には、角度目盛１１の０°と１８０°とを結ぶように基準線１２が付されている。基準線１２は、半円部１０ａの中心Ｏを通る。この基準線１２は、後述の内容からわかるように、角度測定の際に使用される。基準線１２は、特に限定される趣旨ではないが、例えば、印刷、刻印、シール貼り等によって得ることができる。
【００２３】
プレート部１０の矩形部１０ｂには、リール装置１３が固着されている。本実施形態では、リール装置１３は、プレート部１０に設けられる平面視略円形状の開口に嵌め込まれた状態で、プレート部１０に固着されている。ただし、これは、一例にすぎない。例えば、リール装置１３は、プレート部１０の板面上に載せられた状態で固着されるようにしてもよい。
【００２４】
図２は、本発明の第１実施形態に係る角度計１が備えるリール装置１３の作用を説明するための概略平面図である。図１及び図２からわかるように、リール装置１３は、プレート部１０に紐状部材１４を長さ可変に取り付ける役目を担っている。なお、紐状部材１４は、特に限定する趣旨ではないが、例えば、糸、紐、ワイヤー等であってよい。図１は、紐状部材１４が収納された状態を示し、図２は、紐状部材１４が図１に示す状態から引き出された状態を示している。
【００２５】
リール装置１３は、詳細な図は省略するが、紐状部材１４が巻回される円筒状のリールと、リールと連結されるゼンマイバネと、リール及びゼンマイバネを覆うカバー１３１と、を備えている。カバー１３１には、リールに巻回される紐状部材１４を引き出す引き出し口１３１ａが設けられている。
【００２６】
紐状部材１４の先端には、リング部１５が取り付けられている。リング部１５は、紐状部材１４をリール装置１３から引き出し易くすると共に、関節角度の測定等が行われる被測定者（被測定対象）に紐状部材１４の先端側を取り付け易くする。なお、リング部１５は、本発明の取付部の一例である。
【００２７】
リング部１５には、紐状部材１４が取り付けられると共に、収納された紐状部材１４がゼンマイバネの作用によってカバー１３１内に入り込んで引き出せなくなる事態を防止する当接部１５１を備える。当接部１５１は、紐状部材１４がカバー１３１内に収納される場合に、カバー１３１の引き出し口１３１ａ部分の端面に当接する。また、リング部１５は、当接部１５１の先端側に取り付けられるリング１５２を備えている。リング１５２は、金属等の硬質の部材で形成してもよいし、ゴムのような弾性を有する部材で形成してもよい。
【００２８】
図２に示すように、リング部１５を用いて引き出し口１３１ａから紐状部材１４を引き出す（伸ばす）と、リールが回動してゼンマイバネが巻かれる。紐状部材１４を引き出す力や、紐状部材１４を引き出した状態を維持する力が無くなると、紐状部材１４はゼンマイバネの作用によってリールに巻き取られてカバー１３１内に収納される。すなわち、リール装置１３は、紐を引き出し可能に巻き取り収納する機能を有する。
【００２９】
リール装置１３のカバー１３１は、引き出し口１３１ａがプレート部１０の半円部１０ａの中心Ｏと略一致するようにプレート部１０に固定されている。このために、リール装置１３からプレート部１０の板面に沿って引き出された紐状部材１４と角度目盛１１との関係から測定角度を読み取ることができる。なお、図２においては、測定角度は５０°と読み取られる。
【００３０】
図３は、本発明の第１実施形態に係る角度計１を用いて肘関節に関する角度測定を行う場合の角度計１の使用例を示す模式図である。図３は、上述した図９と同様に、肘関節の可動範囲を測定する場合の説明図である。測定にあたっては、まず、図３に示すように、被測定者Ｍを腰掛け座位とすると共に、被測定者の前腕Ａ２を回外位とする。そして、角度計１の半円部１０ａの中心Ｏ（分度器の中心）が肘関節の軸と略一致するように、プレート部１０を腕に軽く当てた状態で配置する。次に、基準線１２を上腕骨（基本軸）に合せ、カバー１３１内にから引き出された紐状部材１４を橈骨（移動軸）に合せる。本例では、引き出された紐状部材１４の先端側に設けられるリング部１５が被測定者Ｍの指に引っ掛けられる（図３に示す状態が該当）。この状態から被測定者Ｍに前腕Ａ２を屈曲側に可能な範囲で曲げてもらう。リング部１５が被測定者Ｍの指に引っ掛けられているために、前腕Ａ２の屈曲に伴い、紐状部材１４も中心Ｏを基準として回動する。前腕Ａ２が屈曲された状態で、紐状部材１４が、角度目盛１１のどの部分を通過しているかを読み取ることによって、肘関節の可動範囲を測定できる。本実施形態の角度計１を用いる場合、測定を行う者（例えばセラピスト等）は、プレート部１０を押さえておくだけで角度測定を行えるので便利である。
【００３１】
図４は、本発明の第１実施形態に係る角度計１を用いて肩関節の可動域の測定を行う手順を示す模式図である。図４（ａ）、図４（ｂ）の順に手順が進む。なお、図４は、伸展（後方拳上）時の可動域測定を説明するものである。当該測定にあたっては、まず、角度計１のリング部１５が被測定者Ｍの適当な指（本例では中指）に取り付けられる。なお、この際に紐状部材１４は縮んだ状態でも伸びた状態でも構わない。
【００３２】
次に、図４（ａ）に示すように、被測定者Ｍは直立位とされる。この状態では、被測定者Ｍの腕Ａは下方にまっすぐ伸びた状態になっている。この直立位の状態で、半円部１０ａの中心Ｏを肩峰と略一致させ、肩峰を通る垂直線（基本軸；床に垂直な線でよい）と基準線１２とが合うようにして、プレート部１０は被測定者Ｍに軽く当てた状態で保持される。なお、この状態（図４（ａ）に示す状態）では、紐状部材１４はカバー１３１内にから引き出されて伸びた状態になっており、上腕骨（移動軸）に合った状態になっている。
【００３３】
図４（ａ）の状態から、肩峰を中心として腕Ａを伸展し始める。この際、セラピスト等の測定者は、片手が空いているために、被測定者Ｍが腕Ａを後方に回すことに対して介助を行える。被測定者Ｍの腕Ａの動きに合わせて紐状部材１４も動く。このために、最大角度に達した時点（例えば図４（ｂ）の状態）で、即座に測定角度を読み取ることができる。なお、最大角度は、例えば、被測定者Ｍが痛いと感じ始める位置等とされる。
【００３４】
２つのアーム部を有する従来の角度計（図９参照）では、最大角度に達した時点で、測定者が角度計のアーム部を調整して計測を行う。この場合、被測定者Ｍは、腕Ａを最大角度で比較的長い時間維持する必要があり、正確な測定を行い難い。本実施形態の角度計１によれば、このような問題はない。また、従来の角度計では、セラピスト等が被測定者の腕Ａを持った状態で角度測定を行うのは難しいが、本実施形態の角度計１では、それが行える。なお、これらの効果は肘関節の可動域測定の場合も同様に当てはまる。
【００３５】
その他、本実施形態の角度計１では、角度測定を行う際に必要となる紐状部材１４を使用しない時にはカバー１３１内に収納した状態にできるために、比較的コンパクトにし易く、持ち運びに便利である。また、本実施形態の角度計１では、プラスチックや金属等の硬くて長い部材を用いた角度計に比べて、体に沿わせて測定を行い易い。
＜第２実施形態＞
【００３６】
次に、第２実施形態の角度計について説明する。なお、説明にあたって、第１実施形態の角度計１と重複する部分については、その説明を適宜省略する。図５は、本発明の第２実施形態に係る角度計２を上から見た場合の概略平面図である。第２実施形態の角度計２も、角度目盛２１及び基準線２２が設けられた板状のプレート部２０を備えている。プレート部２０は、半円部２０ａと矩形部２０ｂとが合体した形状になっている。
【００３７】
プレート部２０には、プレート部２０の半円部２０ａと矩形部２０ｂとに跨るように、リール装置２３が回動可能に取り付けられている。リール装置２３の構成は、第１実施形態のリール装置１３と同様である。リール装置２３の回動中心と、リール装置２３が備えるリール（紐状部材２４が巻回される）の回動中心とは一致している。基準線２２上に設けられる両者の回動中心は、半円部２０ａの中心と一致している。
【００３８】
リール装置２３のリールに巻回される紐状部材２４の先端には、第１実施形態と同様のリング部２５が設けられている。リング部２５を外方に向けて引っ張ることによって、リール装置２３に巻き取り収納されている紐状部材２４を引き出すことができる。リール装置２３がプレート部２０に回動可能に取り付けられているために、紐状部材２４が引き出される角度（プレート部２０の板面に平行な面内の角度）によってリール装置２３の向きも変わる（図５（ｂ）参照）。
【００３９】
なお、図５（ａ）は紐状部材２４がリール装置２３のカバー内に収納された状態を示し、図５（ｂ）は紐状部材２４がカバー内から引き出された状態を示している。
【００４０】
第２実施形態の角度計２も、第１実施形態の角度計１と同様の使い方をでき、第１実施形態の角度計１と同様の効果を得られる。その他、第２実施形態の角度計２は、リール装置２３をプレート部２０に回動可能に取り付ける構成を採用したことによって、第１実施形態の角度計１に比べて、矩形部２０ｂのサイズを小さくできる。すなわち、第２実施形態の角度計２は、第１実施形態の角度計１に比べて、そのサイズをコンパクトにし易いといったメリットを有する。
【００４１】
また、第２実施形態の角度計２のように、リール装置２３をプレート部２０に回動可能に取り付ける構成を採用する場合、図６に示すように、プレート部２０を平面視円形状にすることによって、計測できる角度範囲を広くできる。なお、図６は、本発明の第２実施形態に係る角度計２の変形例を示す概略平面図である。
＜第３実施形態＞
【００４２】
次に、第３実施形態の角度計について説明する。なお、説明にあたって、第１実施形態の角度計１と重複する部分については、その説明を適宜省略する。図７は、本発明の第３実施形態に係る角度計３を上から見た場合の概略平面図である。第３実施形態の角度計３も、角度目盛３１及び基準線３２が設けられた板状のプレート部３０を備えている。プレート部３０は、半円部３０ａと、小さな矩形部３０ｂとが合体した形状になっている。
【００４３】
プレート部３０には、例えばゴム等の伸縮部材を用いて形成される紐状部材３３が取り付けられている。紐状部材３３は、その一端が半円部３０ａの中心Ｏに固着されている。また、紐状部材３３の他端には、例えば人の指等に引っ掛けられるようにリング３４が取り付けられている。リング３４の材質は特に限定されないが、例えば、金属、プラスチック、ゴム等で形成できる。
【００４４】
第３実施形態の角度計３では、紐状部材３３自体が伸縮可能な素材で設けられているために、第１実施形態におけるリール装置１３を不要とできる。第３実施形態の角度計３も、第１実施形態の角度計１と同様の使い方をでき、第１実施形態の角度計１と同様の効果を得られる。なお、第３実施形態においては、使用しない場合においても、紐状部材３３は外部に露出しているが、柔軟性が高く、ポケットに角度計３を入れる場合に邪魔となり難い。場合によっては、プレート部３０に紐状部材３３を巻き付けておく部分を設けても構わない。
【００４５】
その他、第３実施形態の角度計３は、リール装置が不要であるために安価に製造できる。また、リール装置が不要であるために、第３実施形態の角度計３は矩形部３０ｂを小さくして全体のサイズを小さくし易い。
＜その他＞
【００４６】
以上に示した実施形態は、本発明の例示にすぎない。以上に示した実施形態の構成は、本発明の技術的思想を超えない範囲で適宜変更されて構わない。
【００４７】
例えば、以上に示した第１実施形態では、リール装置１３がプレート部１０に取り付けられる構成とした。しかし、このような構成は例示にすぎず、リール装置１３は、プレート部１０に取り付けられなくても構わない。この場合、例えば図８に示すような構成とすればよい。すなわち、紐状部材１４の先端側をプレート部１０の半円部１０ａの中心Ｏに固着する。そして、リール装置１３の紐状部材１４を引き出す引き出し口１３１の例えば反対側にリング１５２を設ける。
【００４８】
なお、図８は、本発明の第１実施形態の角度計１の変形例を説明するための概略平面図である。図８においては、紐状部材１４がリール装置１３のカバー１３１から引き出された状態が示されている。
【００４９】
また、以上に示した実施形態においては、プレート部１０、２０、３０に、角度測定の際に使用される基準線１２、２２、３２を設ける構成としたが、場合によっては、基準線１２、２２、３２は設けられなくてもよい。例えば、基準線の代わりに、プレート部１０、２０、３０の一部の辺が使用されてもよい。
【００５０】
また、以上に示した実施形態においては、人に取り付けるための取付部の形状をリングとしたが、これは例示にすぎず、その形状は適宜変更しても構わない。また、場合によっては、取付部（リング部）は設けられない構成としても構わない。
【符号の説明】
【００５１】
１、２、３  角度計
１０、２０、３０  プレート部（角度読取部）
１１、２１、３１  角度目盛
１２、２２、３２  基準線
１３、２３  リール装置
１４、２４、３３  紐状部材
１５、２５  リング部（取付部）
３４  リング（取付部）
【図１】
2016211910.tif 000003
【図２】
2016211910.tif 000004
【図３】
2016211910.tif 000005
【図４】
2016211910.tif 000006
【図５】
2016211910.tif 000007
【図６】
2016211910.tif 000008
【図７】
2016211910.tif 000009
【図８】
2016211910.tif 000010
【図９】
2016211910.tif 000011